【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示可能な複数の可変表示部を有する可変表示装置を備え、前記複数の可変表示部にて可変表示の表示結果として導出表示された識別情報の組み合わせが特定表示結果になったときに遊技者にとって有利な特定遊技状態に移行させ、特殊表示結果になったときに前記可変表示装置における識別情報の可変表示中に特別な演出を実行する遊技機であって、
遊技の進行を制御する遊技制御用マイクロコンピュータと、
前記可変表示装置の表示状態を制御する演出制御用マイクロコンピュータと、を備え、
前記遊技制御用マイクロコンピュータは、
前記特定遊技状態に移行させるか否かと、識別情報の可変表示を開始してから表示結果を導出表示するまでの可変表示パターンとを表示結果の導出表示以前に決定する事前決定手段と、
前記事前決定手段の決定にもとづいて、少なくとも前記特定遊技状態に移行させるか否かと前記可変表示パターンとを特定可能なコマンドを送信するコマンド送信手段と、を含み、
前記演出制御用マイクロコンピュータは、
前記コマンドにもとづいて、前記可変表示装置における前記複数の可変表示部に表示結果として導出表示する識別情報を複数種類の中から決定する識別情報決定手段と、
前記コマンドにもとづいて、前記可変表示装置において識別情報の可変表示を開始させ、前記可変表示パターンから特定可能な可変表示時間が経過したときに前記識別情報決定手段により決定された識別情報を導出表示する可変表示制御手段と、を含み、
前記識別情報決定手段は、
前記コマンドにもとづいて、前記特定遊技状態に移行されることを特定したときは、前記複数の可変表示部に表示結果として導出表示される識別情報の組み合わせとして前記特定表示結果となる識別情報の組み合わせを決定し、
前記コマンドにもとづいて、前記特殊表示結果とするか否かを判定し、
前記特殊表示結果とすると判定されたときに、前記複数の可変表示部に表示結果として導出表示される識別情報の組み合わせとして前記特殊表示結果となる識別情報の組み合わせを決定し、
前記コマンドにもとづいて、リーチとなりかつ前記特定遊技状態に移行されないことを特定したときは、前記複数の可変表示部における最後に導出表示される最終停止識別情報と該最終停止識別情報以外の識別情報との差分を差分決定用テーブルを用いて決定し、前記最終停止識別情報以外の識別情報との差分によって前記最終停止識別情報を決定し、
前記コマンドにもとづいて、リーチとならずかつ前記特定遊技状態に移行されないことを特定したときは、前記複数の可変表示部に表示結果として導出表示される識別情報の組み合わせが前記特殊表示結果とならないように設定されたリーチ無時テーブルを用いて前記最終停止識別情報を決定する
ことを特徴とする遊技機。
【請求項２】
可変表示装置において表示結果として導出表示された識別情報の組み合わせが有効となる有効ラインが予め複数設定され、特別演出状態に移行させるときに、前記複数の有効ラインのうち特定の有効ラインに特殊表示結果を導出表示する遊技機であって、
識別情報決定手段は、リーチとならずかつ特定遊技状態に移行されないことを特定したときは、前記特定の有効ライン以外の有効ライン上においても識別情報の組み合わせが前記特殊表示結果とならないように設定されたリーチ無時テーブルを用いて最終停止識別情報を決定する
請求項１記載の遊技機。
【請求項３】
識別情報決定手段は、複数種類のリーチのうち第１のリーチを特定したときは、第２のリーチが特定されたときよりも、高い割合で最終停止識別情報と該最終停止識別情報以外の識別情報との差分が小さくなるように、制御データが割り振られている差分決定用テーブルを用いて、差分を決定する
請求項１または請求項２記載の遊技機。
【請求項４】
可変表示装置において表示結果として導出表示された識別情報の組み合わせが有効となる有効ラインが予め複数設定され、
識別情報決定手段は、単一の有効ラインにおいてリーチが成立するときと、複数の有効ラインにおいてリーチが成立するときとで、最終停止識別情報と該最終停止識別情報以外の識別情報との差分が異なるように、制御データが割り振られている差分決定用テーブルを用いて、差分を決定する
請求項１から請求項３のうちのいずれか１項記載の遊技機。
【請求項５】
複数の可変表示部にリーチを成立させ特定表示結果と異なる表示結果を仮停止表示させた後に、特定演出を実行して特定表示結果を導出表示可能な遊技機であって、
識別情報決定手段は、
コマンドにもとづいて、前記特定演出を実行して前記特定表示結果を導出表示させることを特定したときは、前記複数の可変表示部における最後に仮停止表示される仮最終停止識別情報と該仮最終停止識別情報以外の識別情報との差分を差分決定用テーブルを用いて決定し、該決定された差分によって前記仮最終停止識別情報を決定し、
仮最終停止識別情報と該仮最終停止識別情報以外の識別情報との差分を決定するときは、前記特定演出を実行しない場合に最終停止識別情報と該最終停止識別情報以外の識別情報との差分を決定するときよりも、高い割合で仮最終停止識別情報と該仮最終停止識別情報以外の識別情報との差分が小さくなるように、制御データが割り振られている前記差分決定用テーブルを用いて、差分を決定する
請求項１から請求項４のうちのいずれかに記載の遊技機。
【請求項６】
可変表示の表示結果として導出表示された識別情報の組み合わせが特定表示結果のうちの特別表示結果になったときに特定遊技状態が終了したのちに通常状態であるときに比べて識別情報の可変表示が前記特定表示結果となりやすい特別遊技状態に移行させる遊技機であって、
事前決定手段は、前記特別遊技状態に移行させるか否かについても表示結果の導出表示以前に決定し、
コマンド送信手段は、
可変表示パターンを特定可能なコマンドとして、前記特定遊技状態に制御しないことを示す非特定表示結果を表示させる可変表示パターンを特定可能な非特定可変表示コマンド、前記特別表示結果を表示させる可変表示パターンを特定可能な特別可変表示コマンド、前記特定表示結果であるが前記特別表示結果ではない非特別表示結果を表示させる可変表示パターンを特定可能な非特別可変表示コマンド、前記特別表示結果又は前記非特別表示結果を表示させる共通の可変表示パターンを特定可能な特定可変表示コマンド、のいずれかを送信する可変表示コマンド送信手段と、
事前決定手段による決定を特定可能な表示結果コマンドを送信する表示結果コマンド送信手段と、を含み、
識別情報決定手段は、前記特定可変表示コマンドを受信したときに、表示結果コマンドを受信できなかった場合は、識別情報の表示結果として前記非特別表示結果となる識別情報を仮決定する
請求項１から請求項５のうちのいずれかに記載の遊技機。
【手続補正２】
【補正対象書類名】明細書
【補正対象項目名】００１０
【補正方法】変更
【補正の内容】
【００１０】
本発明による遊技機では、各々を識別可能な複数種類の識別情報（例えば左・中・右の飾り図柄）を可変表示可能な複数の可変表示部（例えば、左・中・右の表示領域）を有する可変表示装置（例えば可変表示装置９）を備え、複数の可変表示部にて可変表示の表示結果として導出表示された識別情報の組み合わせが特定表示結果（例えば大当り図柄）になったときに遊技者にとって有利な特定遊技状態（例えば大当り遊技状態）に移行させ、特殊表示結果（例えば、チャンス目Ａ、チャンス目Ｂ、突確用のチャンス目（突然確変図柄）、小当り用のチャンス目（小当り図柄））になったときに可変表示装置における識別情報の可変表示中に特別な演出を実行する（例えば、チャンス目Ａ，Ｂになったときにスーパーリーチに発展させ、突確用のチャンス目になったときに２ラウンドの突然確変大当り遊技を実行した後にチャンスモード中の演出を実行し、小当り用のチャンス目になったときに２ラウンドの小当り遊技を実行した後にチャンスモード中の演出を実行する）遊技機（例えばパチンコ遊技機１）であって、遊技の進行を制御する遊技制御用マイクロコンピュータ（例えば、遊技制御用マイクロコンピュータ５６０）と、可変表示装置の表示状態を制御する演出制御用マイクロコンピュータ（例えば、演出制御用マイクロコンピュータ１００）と、を備え、遊技制御用マイクロコンピュータは、特定遊技状態に移行させるか否か（例えば大当りとするか否か）と、識別情報の可変表示を開始してから表示結果を導出表示するまでの可変表示パターン（例えば変動パターン）とを表示結果の導出表示以前に決定する事前決定手段（例えば、遊技制御用マイクロコンピュータ５６０におけるステップＳ５７，Ｓ５８，Ｓ６１，Ｓ６２，Ｓ２０１〜Ｓ２１２を実行する部分）と、事前決定手段の決定にもとづいて、少なくとも特定遊技状態に移行させるか否かと可変表示パターンとを特定可能なコマンド（例えば、変動パターンコマンド、図柄情報指定コマンド）を送信するコマンド送信手段（例えば、遊技制御用マイクロコンピュータ５６０における飾り図柄コマンド制御処理（ステップＳ２８）のうち変動パターンコマンドおよび図柄情報指定コマンドを送信する制御を実行する部分）と、を含み、演出制御用マイクロコンピュータは、コマンドにもとづいて、可変表示装置における複数の可変表示部に表示結果として導出表示する識別情報を複数種類の中から決定する識別情報決定手段（例えば、演出制御用マイクロコンピュータ１００におけるステップＳ６２１，Ｓ６２６，Ｓ６３２を実行する部分）と、コマンドにもとづいて（例えばステップＳ６１６のＹ）、可変表示装置において識別情報の可変表示を開始させ、可変表示パターンから特定可能な可変表示時間（例えば変動時間）が経過したときに識別情報決定手段により決定された識別情報を導出表示する可変表示制御手段（例えば、演出制御用マイクロコンピュータ１００における演出制御プロセス処理（ステップＳ７０５）のうちステップＳ８００〜Ｓ８０３を実行する部分）と、を含み、識別情報決定手段は、コマンドにもとづいて、特定遊技状態に移行されることを特定したときは、複数の可変表示部に表示結果として導出表示される識別情報の組み合わせとして特定表示結果となる識別情報の組み合わせを決定し（例えば、演出制御用マイクロコンピュータ１００がステップＳ６５８，Ｓ６６１，Ｓ６７３，Ｓ６７６，Ｓ６８１〜Ｓ６８３を実行し）、コマンドにもとづいて、特殊表示結果とするか否かを判定し（例えば、演出制御用マイクロコンピュータ１００がステップＳ６５９，Ｓ６７４，Ｓ６７７，Ｓ６８２，Ｓ１０２３，Ｓ１０２６，Ｓ１０４０，Ｓ１０５１，Ｓ１１１２，Ｓ１１１７，Ｓ１１３９，Ｓ１１４４を実行し）、特殊表示結果とすると判定されたときに、複数の可変表示部に表示結果として導出表示される識別情報の組み合わせとして特殊表示結果となる識別情報の組み合わせを決定し（例えば、演出制御用マイクロコンピュータ１００がステップＳ６６３，Ｓ６７９，Ｓ６８０Ｂ，Ｓ６８４，Ｓ１０２５，Ｓ１０２８，Ｓ１０４２，Ｓ１０５３，Ｓ１１１４，Ｓ１１１９，Ｓ１１４１，Ｓ１１４６を実行し）、コマンドにもとづいて、リーチとなりかつ特定遊技状態に移行されないことを特定したときは（例えば、ステップＳ６５１のＹ，Ｓ６５３のＹ）、複数の可変表示部における最後に導出表示される最終停止識別情報（例えば中図柄）と該最終停止識別情報以外の識別情報（例えばリーチ図柄）との差分（例えばリーチ図柄に対する図柄差）を差分決定用テーブル（例えばノーマルはずれ時中図柄選択テーブルまたはスーパー発展時中図柄選択テーブル）を用いて決定し、最終停止識別情報以外の識別情報との差分によって最終停止識別情報を決定し（例えば、演出制御用マイクロコンピュータ１００がステップＳ６５５のリーチ有ハズレ決定処理を実行し）、コマンドにもとづいて、リーチとならずかつ特定遊技状態に移行されないことを特定したときは（例えば、ステップＳ６５１のＹ，Ｓ６５３のＮ）、複数の可変表示部に表示結果として導出表示される識別情報の組み合わせが特殊表示結果とならないように設定されたリーチ無時テーブル（例えば中図柄選択用テーブル）を用いて最終停止識別情報を決定する（例えば、演出制御用マイクロコンピュータ１００がステップＳ６５４のリーチ無ハズレ決定処理を実行する）ことを特徴とする。
【手続補正３】
【補正対象書類名】明細書
【補正対象項目名】００１１
【補正方法】変更
【補正の内容】
【００１１】
可変表示装置において表示結果として導出表示された識別情報の組み合わせが有効となる有効ラインが予め複数設定され（例えば、上段、中段、下段、右下がり、右上がりの５ラインが設定され）、特別演出状態に移行させるときに、複数の有効ラインのうち特定の有効ライン（例えば中段のライン）に特殊表示結果（例えば、突確用のチャンス目、小当り用のチャンス目）を導出表示する遊技機（例えばパチンコ遊技機１）であって、識別情報決定手段は、リーチとならずかつ特定遊技状態に移行されないことを特定したときは（例えば、ステップＳ６５１のＹ，Ｓ６５３のＮ）、特定の有効ライン以外の有効ライン（例えば、上段、下段、右下がり、右上がりのライン）上においても識別情報の組み合わせが特殊表示結果とならないように設定されたリーチ無時テーブル（例えば、図４９〜図５１に示すチャンス目禁則パターンを成立させない中図柄選択用テーブル）を用いて最終停止識別情報を決定する（例えば、ステップＳ１００６にてチャンス目禁則用テーブルを用いて中図柄選択用テーブルを選択し、ステップＳ１００７にて中図柄選択用テーブルを用いて中図柄を決定する）ように構成されていてもよい。
【手続補正４】
【補正対象書類名】明細書
【補正対象項目名】００１３
【補正方法】変更
【補正の内容】
【００１３】
可変表示装置において表示結果として導出表示された識別情報の組み合わせが有効となる有効ラインが予め複数設定され（例えば、上段、中段、下段、右下がり、右上がりの５ラインが設定され）、識別情報決定手段は、単一の有効ラインにおいてリーチが成立するとき（例えばステップＳ１０１２においてシングルリーチが成立するとき）と、複数の有効ラインにおいてリーチが成立するとき（例えばステップＳ１０１２のＹにおいてダブルリーチが成立するとき）とで、最終停止識別情報と該最終停止識別情報以外の識別情報との差分が異なるように、制御データ（例えば判定値）が割り振られている差分決定用テーブル（例えば、図５７に示すノーマルはずれ時中図柄選択テーブル）を用いて、差分を決定するように構成されていてもよい。
【手続補正５】
【補正対象書類名】明細書
【補正対象項目名】００１４
【補正方法】変更
【補正の内容】
【００１４】
複数の可変表示部にリーチを成立させ特定表示結果と異なる表示結果（例えばリーチはずれ図柄）を仮停止表示させた後に、特定演出（例えば救済演出）を実行して特定表示結果（例えば大当り図柄（特に実施の形態では確変図柄））を導出表示可能な遊技機であって、識別情報決定手段は、コマンドにもとづいて、特定演出を実行して特定表示結果を導出表示させることを特定したときは（例えばステップＳ１０３２のＹ）、複数の可変表示部における最後に仮停止表示される仮最終停止識別情報（例えば仮停止図柄の中図柄）と該仮最終停止識別情報以外の識別情報（仮停止図柄の左右図柄）との差分を差分決定用テーブル（図７４に示すノーマル用中図柄仮停止選択テーブル）を用いて決定し、該決定された差分によって仮最終停止識別情報を決定し（例えば、演出制御用マイクロコンピュータ１００がステップＳ１０４８Ｂを実行し）、仮最終停止識別情報と該仮最終停止識別情報以外の識別情報との差分を決定するとき（例えばステップＳ１０３２のＹ）は、特定演出を実行しない場合に最終停止識別情報と該最終停止識別情報以外の識別情報との差分を決定するとき（例えばステップＳ１０１２のＹ）よりも、高い割合で仮最終停止識別情報と該仮最終停止識別情報以外の識別情報との差分が小さくなるように、制御データ（例えば判定値）が割り振られている差分決定用テーブルを用いて、差分を決定する（例えば、ステップＳ１０１５で用いられるノーマルはずれ時中図柄選択テーブルよりも小さい図柄差に対して判定値の数が多く割り振られたノーマル用中図柄仮停止選択テーブル（図７４）を用いて中図柄を決定する）ように構成されていてもよい。
【手続補正６】
【補正対象書類名】明細書
【補正対象項目名】００１５
【補正方法】変更
【補正の内容】
【００１５】
可変表示の表示結果として導出表示された識別情報の組み合わせが特定表示結果のうちの特別表示結果（例えば確変図柄）になったときに特定遊技状態が終了したのちに通常状態であるときに比べて識別情報の可変表示が特定表示結果となりやすい特別遊技状態（例えば確変状態（確変時短状態も含む））に移行させる遊技機であって、事前決定手段は、特別遊技状態に移行させるか否か（例えば確変大当りとするか否か）についても表示結果の導出表示以前に決定し（例えば、遊技制御用マイクロコンピュータ５６０がステップＳ６１，Ｓ６２を実行し）、コマンド送信手段は、可変表示パターンを特定可能なコマンドとして、特定遊技状態に制御しないことを示す非特定表示結果（例えば、はずれ図柄）を表示させる可変表示パターンを特定可能な非特定可変表示コマンド（例えば、はずれ専用の変動パターンコマンド）、特別表示結果（例えば、確変図柄）を表示させる可変表示パターンを特定可能な特別可変表示コマンド（例えば、確変大当り専用の変動パターンコマンド）、特定表示結果であるが特別表示結果ではない非特別表示結果（例えば、非確変図柄）を表示させる可変表示パターンを特定可能な非特別可変表示コマンド（例えば、通常大当り専用の変動パターンコマンド）、特別表示結果又は非特別表示結果を表示させる共通の可変表示パターンを特定可能な特定可変表示コマンド（例えば、確変大当り／通常大当り兼用の変動パターンコマンド）、のいずれかを送信する可変表示コマンド送信手段（例えば、遊技制御用マイクロコンピュータ５６０が大当りフラグ等のセット／リセットの状況に応じて変動パターン決定テーブルを選択し（ステップＳ２０１〜Ｓ２０６，Ｓ２０８〜Ｓ２１２）、選択した変動パターンを用いて変動パターンを決定し（ステップＳ２０７）、決定した変動パターンを特定可能な変動パターンコマンドを送信する（ステップＳ２１３，Ｓ２１５、図３４〜図３６）処理を実行する部分）と、事前決定手段による決定を特定可能な表示結果コマンド（例えば、図柄情報指定コマンド）を送信する表示結果コマンド送信手段（例えば、遊技制御用マイクロコンピュータ５６０が大当り判定（ステップＳ５８）、大当り種別判定（ステップＳ６２）および小当り判定（ステップＳ６４）を実行し、判定結果に応じた飾り図柄情報を指定する図柄情報指定コマンドを送信する（ステップＳ６３，Ｓ６６，Ｓ７１，図３４〜図３６）処理を実行する部分）と、を含み、識別情報決定手段は、特定可変表示コマンドを受信したときに（例えばステップＳ６１９のＹ）、表示結果コマンドを受信できなかった場合は（例えば６２９のＹ、Ｓ６３０のＮ、Ｓ６３１のＮ）、識別情報の表示結果として非特別表示結果となる識別情報を仮決定する（例えば演出制御用マイクロコンピュータ１００においてステップＳ６３２を実行する）ように構成されていてもよい。
【手続補正７】
【補正対象書類名】明細書
【補正対象項目名】００１６
【補正方法】変更
【補正の内容】
【００１６】
請求項１記載の発明では、識別情報決定手段が、コマンドにもとづいて、特殊表示結果とするか否かを判定し、特殊表示結果とすると判定されたときに、複数の可変表示部に表示結果として導出表示される識別情報の組み合わせとして特殊表示結果となる識別情報の組み合わせを決定し、コマンドにもとづいて、リーチとなりかつ特定遊技状態に移行されないことを特定したときは、複数の可変表示部における最後に導出表示される最終停止識別情報と該最終停止識別情報以外の識別情報との差分を差分決定用テーブルを用いて決定し、最終停止識別情報以外の識別情報との差分によって最終停止識別情報を決定し、コマンドにもとづいて、リーチとならずかつ特定遊技状態に移行されないことを特定したときは、複数の可変表示部に表示結果として導出表示される識別情報の組み合わせが特殊表示結果とならないように設定されたリーチ無時テーブルを用いて最終停止識別情報を決定するように構成されている。従って、可変表示の表示結果として識別情報の組み合わせが特殊表示結果（チャンス目）にならないと判定されたときに、特殊表示結果が導出表示されるのを確実に防止することができる。さらに、リーチとならずかつ特定遊技状態に移行されないことを特定したときには、差分を用いずに最終停止識別情報を決定するので、リーチとならない非特定表示結果（ドハズレ図柄）における識別情報の組み合わせが多彩となる。
【手続補正８】
【補正対象書類名】明細書
【補正対象項目名】００２０
【補正方法】変更
【補正の内容】
【００２０】
請求項５記載の発明では、識別情報決定手段が、コマンドにもとづいて、特定演出を実行して特定表示結果を導出表示させることを特定したときは、複数の可変表示部における最後に仮停止表示される仮最終停止識別情報と該仮最終停止識別情報以外の識別情報との差分を差分決定用テーブルを用いて決定し、該決定された差分によって仮最終停止識別情報を決定し、仮最終停止識別情報と該仮最終停止識別情報以外の識別情報との差分を決定するときは、特定演出を実行しない場合に最終停止識別情報と該最終停止識別情報以外の識別情報との差分を決定するときよりも、高い割合で仮最終停止識別情報と該仮最終停止識別情報以外の識別情報との差分が小さくなるように、制御データが割り振られている差分決定用テーブルを用いて、差分を決定するように構成されているので、差分が小さくなったときには特定演出が実行されて特定表示結果が導出表示される割合が高くなるため、最終停止識別情報に対する遊技者の興趣を高めることができる。